(57)【要約】      （修正有）【課題】乳幼児を乗せる空間を適宜調整することが可能で、快適性のより高い抱っこ紐を提供する。【解決手段】ベルト部１１０は腰ベルト１１１および腰ベルト１１１に接続される肩ベルト１１２を含む。背当て１２０はベルト部１１０に取り外し可能に接続され、乳幼児をサポートするためのものである。調節構造１３０は留め部１３１および互いに離間した複数個の段階孔１３２を含み、留め部１３１が背当て１２０とベルト部１１０のうちの一方に設置され、段階孔１３２が背当て１２０とベルト部１１０のうちの他方に設置され、留め部１３１が取り外し可能にいずれかの段階孔１３２内に嵌入されることができるため、乳幼児のニーズによってその臀部および太腿部の段階調整を実現し、乳幼児の使用ニーズに応え、乳幼児を乗せた時の快適性を高めることができる。【選択図】図１
0003219702.tif 000002
【実用新案登録請求の範囲】
【請求項１】
抱っこ紐であって、
腰ベルトおよび前記腰ベルトに接続される肩ベルトを含むベルト部と、
前記ベルト部に取り外し可能に接続され、乳幼児をサポートするための背当てと、
留め部および互いに離間した複数個の段階孔を含む調節構造とを含み、
前記留め部が前記背当てと前記ベルト部のうちの一方に設けられ、前記段階孔が前記背当てと前記ベルト部のうちの他方に設けられ、
前記留め部が取り外し可能にいずれかの前記段階孔内に嵌入されることができることを特徴とする、抱っこ紐。
【請求項２】
複数個の前記段階孔は互いに離間して前記肩ベルトにおける前記腰ベルトに近い位置に設けられ、
前記留め部は前記背当ての底部に固定されることを特徴とする、請求項１に記載の抱っこ紐。
【請求項３】
前記背当てと前記ベルト部との間に設けられた第一接続構造および第二接続構造をさらに含み、
前記背当ては前記第一接続構造および前記第二接続構造によって、取り外し可能に前記ベルト部に接続され、
前記調節構造は前記第一接続構造と前記第二接続構造との間に設けられることを特徴とする、請求項１に記載の抱っこ紐。
【請求項４】
前記第一接続構造は、前記肩ベルトに固定される第一接続部、および前記背当ての頂部に固定される第二接続部を含み、
前記第一接続部と前記第二接続部が取り外し可能に接続されることを特徴とする、請求項３に記載の抱っこ紐。
【請求項５】
前記第二接続構造は、前記腰ベルトに固定される第三接続部、および前記背当ての底部に固定される第四接続部を含み、
前記第三接続部と前記第四接続部が取り外し可能に接続されることを特徴とする、請求項３に記載の抱っこ紐。
【請求項６】
前記調節構造と前記第一接続構造との間に設けられて、前記背当てと前記ベルト部とを取り外し可能に接続させるための第三接続構造をさらに含むことを特徴とする、請求項３に記載の抱っこ紐。
【請求項７】
前記第三接続構造は、前記肩ベルトに固定される第五接続部、および前記背当ての略中央部に固定される第六接続部を含み、
前記第五接続部と前記第六接続部が取り外し可能に接続されることを特徴とする、請求項６に記載の抱っこ紐。
【請求項８】
前記第一接続構造、前記第二接続構造および前記第三接続構造はバックル、ボタン、ファスナー、面ファスナーの中のいずれか一種であることを特徴とする、請求項６に記載の抱っこ紐。
【請求項９】
前記ベルト部はさらに、前記腰ベルトに接続されて乳幼児をサポートするための座部を含むことを特徴とする、請求項１に記載の抱っこ紐。
【請求項１０】
前記ベルト部はさらに、前記腰ベルトに設けられた物入れポケットを含み、
前記物入れポケットが前記座部の下方に設けられることを特徴とする請求項９に記載の抱っこ紐。
【考案の詳細な説明】
【技術分野】
【０００１】
本考案は乳幼児用品の技術分野に関し、特に空間の大きさが調節可能で、快適性のより高い抱っこ紐に関する。
【背景技術】
【０００２】
ベビーキャリア（例えば、おんぶ紐、腰まくらなど）の出現により、保護者の両手が解放され、乳幼児を挟持したまま外出して自由に活動できるようになり、かつ乳幼児との親密な接触を影響することない。抱っこ紐を例にすると、子どもを抱える方法によって、横型、前向き型、対面型、おんぶ型などに分類され、また、機能によって、専用型、ツウェイ型、スリーウェイ型などに分類され、実に種類が豊富で、機能も多様である。
【０００３】
抱っこ紐の設計は、利用者の負担を軽減するよう、人体工学に基づくとともに、乳児の臀部、腰部、頸部および頭部などをサポートして、湾曲や不要な圧力を回避し、乳児の快適性および安全性を保ち、乳幼児の弱い筋肉と骨格を守る必要がある。従来の抱っこ紐は、乳幼児を乗せるために形成された空間が固定したものであり、これに対し、異なる乳幼児または異なる成長段階の乳幼児ともなれば、その身長、体重などが異なり、乗せる時に必要な空間、特に臀部および太腿部をサポートする空間が異なるため、従来の抱っこ紐ではこれに応じて調整することができず、乳幼児を乗せた時の快適性が不十分である。
【０００４】
従って、従来技術における上記問題を解決するために、乳幼児を乗せる空間を適宜調整することが可能で、快適性のより高い抱っこ紐を提供する必要がある。
【考案の概要】
【考案が解決しようとする課題】
【０００５】
本考案の目的は乳幼児を乗せる空間を適宜調整することが可能で、快適性のより高い抱っこ紐を提供することである。
【課題を解決するための手段】
【０００６】
上記目的を実現するために、本考案の技術方案が提供する抱っこ紐はベルト部、背当ておよび調節構造を含み、ベルト部が腰ベルトおよび前記腰ベルトに接続される肩ベルトを含み、背当てが前記ベルト部に取り外し可能に接続され、乳幼児をサポートするものであり、調節構造が留め部および互いに離間した複数個の段階孔を含み、前記留め部が前記背当てと前記ベルト部のうちの一方に設けられ、前記段階孔が前記背当てと前記ベルト部のうちの他方に設けられ、前記留め部が取り外し可能にいずれかの前記段階孔内に嵌入されることができる。
【０００７】
好ましくは、複数個の前記段階孔は互いに離間して前記肩ベルト上の前記腰ベルトに近い位置に設けられ、前記留め部は前記背当ての底部に固定される。
【０００８】
好ましくは、前記抱っこ紐はさらに、前記背当てと前記ベルト部との間に設けられた第一接続構造および第二接続構造を含み、前記背当てが前記第一接続構造および前記第二接続構造によって、取り外し可能に前記ベルト部に接続され、かつ、前記調節構造が前記第一接続構造と前記第二接続構造との間に設けられている。
【０００９】
好ましくは、前記第一接続構造は前記肩ベルトに固定される第一接続部、および前記背当ての頂部に固定される第二接続部を含み、前記第一接続部と前記第二接続部が取り外し可能に接続される。
【００１０】
好ましくは、前記第二接続構造は前記腰ベルトに固定される第三接続部、および前記背当ての底部に固定される第四接続部を含み、前記第三接続部と前記第四接続部が取り外し可能に接続される。
【００１１】
好ましくは、前記抱っこ紐はさらに、前記調節構造と前記第一接続構造との間に設けられて、前記背当てと前記ベルト部とを取り外し可能に接続させる第三接続構造を含む。
【００１２】
好ましくは、前記第三接続構造は前記肩ベルトに固定される第五接続部、および前記背当ての略中央部に固定される第六接続部を含み、前記第五接続部と前記第六接続部が取り外し可能に接続される。
【００１３】
好ましくは、前記第一接続構造、前記第二接続構造および前記第三接続構造はバックル、ボタン、ファスナー、面ファスナーの中のいずれか一種である。
【００１４】
好ましくは、前記ベルト部はさらに、前記腰ベルトに接続されて乳幼児をサポートするための座部を含む。
【００１５】
好ましくは、前記ベルト部はさらに、前記腰ベルトに設けられた物入れポケットを含み、前記物入れポケットが前記座部の下方に設けられている。
【００１６】
従来技術と比べて、本考案の抱っこ紐は、そのベルト部と背当てとの間に調節構造が設けられ、前記調節構造が留め部および互いに離間した複数個の段階孔を含み、前記留め部が前記背当てと前記ベルト部のうちの一方に設けあれ、前記段階孔が前記背当てと前記ベルト部のうちの他方に設けられ、前記留め部がいずれかの段階孔内に取り外し可能に嵌入されるため、異なる乳幼児または異なる成長段階の乳幼児に必要な異なる空間の大きさによって、乳幼児の臀部および太腿部の段階調整を実現し、異なる乳幼児の使用ニーズに応え、乳幼児を乗せた時の快適性を高めることができる。
【図面の簡単な説明】
【００１７】
【図１】本考案の抱っこ紐の構造概略図。
【図２】図１中のベルト部の構造概略図。
【図３】図２の異なる角度からの構造概略図。
【図４】図１中の背当ての構造概略図。
【図５】本考案の抱っこ紐の接続状態の概略図。
【図６】本考案の抱っこ紐の使用状態の概略図。
【考案を実施するための形態】
【００１８】
以下は図面を参照しながら本考案の実施例を説明するが、図面における類似する符号は類似する素子を意味する。
【００１９】
図１、５と６が示すように、本考案が提供する抱っこ紐１００はベルト部１１０、背当て１２０、調節構造１３０、第一接続構造１４０および第二接続構造１５０を含。そして、ベルト部１１０は腰ベルト１１１および腰ベルト１１１に接続される肩ベルト１１２を含み、背当て１２０が第一接続構造１４０および第二接続構造１５０によってベルト部１１０に取り外し可能に接続され、かつ、調節構造１３０によって背当て１２０の段階調整を実現し、乳幼児に合わせて臀部および太腿部の段階調整を行うことができる。
【００２０】
図２‐３が示すように、前記ベルト部１１０はさらに、腰ベルト１１１に設けられた物入れポケット１１３および座部１１４を含んでもよい。座部１１４は物入れポケット１１３の上方に設けられて、乳幼児をサポートするためのものであり、座部１１４のサポートにより、乳幼児をより快適に乗せることができる。
【００２１】
具体的に、座部１１４は腰ベルト１１１に接続された収容袋（符号なし）および前記収容袋内に設置されたコアを含み、前記コアが熱可塑性弾性体（Ｈｙｔｒｅｌ）、ポリプロピレン（ｐｏｌｙｐｒｏｐｙｌｅｎｅ、ＰＰ）、発泡ポリプロピレン（Ｅｘｐａｎｄｅｄ  ｐｏｌｙｐｒｏｐｙｌｅｎｅ、ＥＰＰ）、ＡＢＳ樹脂（Ａｃｒｙｌｏｎｉｔｒｉｌｅ  Ｂｕｔａｄｉｅｎｅ  Ｓｔｙｒｅｎｅ、アクリロニトリル・ブタジエン・スチレン共重合物）、繊維板などによって一体成型され、優れたサポート性を有するとともに、比較的に良い弾力性および通気性を有する。当然ながら、コアは上記材質を成型したものに限定されない。
【００２２】
図１‐６が示すように、本考案において、背当て１２０と二つの肩ベルト１１２の間にそれぞれ調節構造１３０が設けられており、各調節構造１３０が留め部１３１および互いに離間した複数個の段階孔１３２を含み、複数個の段階孔１３２が互いに離間して肩ベルト１１２における腰ベルト１１１に近い位置に設けられ、かつ複数個の段階孔１３２が肩ベルト１１２の高さ方向に沿って延伸し、留め部１３１が背当て１２０の底部に固定され、留め部１３１が取り外し可能にいずれかの段階孔１３２内に嵌入されることが可能であり、これにより、乳幼児の実際のニーズに応じてその臀部および太腿部の段階調整を行い、乳幼児を乗せた時の快適性を保証する。なお、留め部１３１と段階孔１３２の位置を取り換えても上記効果が得られることがわかる。
【００２３】
本考案において、留め部１３１は好ましくはボタンであるが、これに限定されない。
【００２４】
図１−２、４−６が示すように、第一接続構造１４０は第一接続部１４１および第二接続部１４２を含み、第一接続部１４１が肩ベルト１１２に固定され、背当て１２０の頂部に接続帯１２１が固定されており、第二接続部１４２が調節可能に前記接続帯１２１に穿設され、これにより、必要に応じて第二接続部１４２の位置を調節し、第一接続部１４１、第二接続部１４２を取り外し可能に接続させて、背当て１２０とベルト部１１０の接続を実現する。当然ながら、第二接続部１４２を接続帯１２１に固定することも可能であり、背当て１２０とベルト部１１０との間の接続がこれに影響されることない。
【００２５】
本実施例において、第一接続部１４１と第二接続部１４２はペアを成すオスボタンとメスボタンであり、両者の接続によって背当て１２０とベルト部１１０の取り外し可能な接続を簡単に実現できる。当然ながら、第一接続部１４１と第二接続部１４２は留めボタン、ファスナー、面ファスナーなどであってもよいが、これらに限定されない。
【００２６】
図２、４、６が示すように、前記第二接続構造１５０は、取り外し可能に接続される第三接続部１５１および第四接続部１５２を含み、第三接続部１５１が腰ベルト１１１に固定され、かつ物入れポケット１１３の両側に位置し、背当て１２０の底部に接続帯１２２が固定され、第四接続部１５２が調節可能に前記接続帯１２２に穿設され、第三接続部１５１と第四接続部１５２との間の接続によって背当て１２０底部の接続を実現する。
【００２７】
本考案の抱っこ紐１００は、背当て１２０とベルト部１１０との間に第一接続構造１４０、第二接続構造１５０によって取り外し可能に接続されるため、必要に応じて調節構造１３０を使用することが可能であり、調節構造１３０が嵌合されなくても、抱っこ紐１００の正常な使用に影響がない。
【００２８】
図６が示すように、前記抱っこ紐１００はさらに、背当て１２０の略中央部と肩ベルト１１２との間に設けられた第三接続構造１６０を含み、第三接続構造１６０によって、さらに背当て１２０とベルト部１１０との間の取り外し可能な接続を実現できる。
【００２９】
図２、４が示すように、第三接続構造１６０は第五接続部１６１および第六接続部１６２を含み、第五接続部１６１が肩ベルト１１２に固定され、かつ第一接続部１４１と段階孔１３２との間に位置し、第六接続部１６２が接続帯１２３によって背当て１２０の略中央部に固定され、第六接続部１６２が前記接続帯１２３に固定、または調節可能に穿設され、第五接続部１６１と第六接続部１６２が取り外し可能に接続される。
【００３０】
好ましくは、第三接続部１５１および第四接続部１５２、第五接続部１６１および第六接続部１６２はいずれもペアを成すオスボタンおよびメスボタンであるが、これに限定されず、ペアを成す留めボタン、ファスナー、面ファスナーなどであってもよい。
【００３１】
また、図１−６が示すように、本考案の抱っこ紐１００を使用する時、第一接続部１４１と第二接続部１４２を嵌合させ、第三接続部１５１と第四接続部１５２を嵌合させ、第五接続部１６１と第六接続部１６２を嵌合させて、背当て１２０とベルト部１１０の接続を実現し、両者の間に乳幼児を乗せる空間を形成する。同時に、異なる乳幼児または異なる成長段階の乳幼児の臀部および太腿部に応じた必要空間の異なる大きさによって、留め部１３１を異なる段階孔１３２内に嵌入させて、乳幼児の臀部および太腿部の段階調整を実現し、異なる乳幼児または異なる成長段階の乳幼児の使用ニーズに適応する。当然ながら、留め部１３１と段階孔１３２を嵌入させない選択肢もあり、この場合も抱っこ紐１００を正常に使用できる。
【００３２】
さらに、座部１１４のサポートによって、乳幼児に対する良いサポート作用が得られ、乳幼児をより快適に乗せることができる。当然ながら、本考案の腰ベルト１１１が座部１１４を有するため、ベルト部１１０を単独に使用することも可能であり、抱っこ紐１００をより自由に、便利に使用することができる。
【００３３】
以上をまとめると、本考案の抱っこ紐１００は、そのベルト部１１０と背当て１２０との間に調節構造１３０が設けられ、前記調節構造１３０が留め部１３１および互いに離間した複数個の段階孔１３２を含み、留め部１３１が背当て１２０とベルト部１１０のうちの一方に設けられ、段階孔１３２が背当て１２０とベルト部１１０のうちの他方に設けられ、前記留め部１３１が取り外し可能にいずれかの段階孔１３２内に嵌入されるため、異なる乳幼児または異なる成長段階の乳幼児が必要とする空間の異なる大きさによって、乳幼児の臀部および太腿部の段階調整を実現し、異なる乳幼児の使用ニーズに応え、乳幼児を乗せた時の快適性を高めることができる。
【００３４】
本考案の抱っこ紐１００のその他の構造および接続方法などはいずれも当業者が熟知しているものとであり、その詳しい説明を割愛する。
以上に説明したのは本考案の好ましい実施例に過ぎず、当然ながら本考案の範囲は上記実施例に限定されることなく、また、実用新案請求の範囲において行われた等価な変更も本考案の範囲に属する。
【図１】
0003219702.tif 000003
【図２】
0003219702.tif 000004
【図３】
0003219702.tif 000005
【図４】
0003219702.tif 000006
【図５】
0003219702.tif 000007
【図６】
0003219702.tif 000008